(57)【要約】【課題】美術館や博物館、イベント会場などにおいて、他の入場者の邪魔にならずに記念写真撮影を行うことができる画像処理システム、及びこのような画像処理方法を提供すること。【解決手段】展覧会などの案内において、ユーザに複数の作品の画像を提供するとともに、選択された作品がある位置までの地図情報をユーザに提供する（ステップＳ１）。この案内に対するユーザからの返信情報の中にユーザの画像がある場合には、作品画像とユーザの画像を合成してユーザに提供する（ステップＳ５）。この画像は所定時間後に消去され（ステップＳ６）、ユーザが展覧会に実際に訪れたときにプリントアウトされてユーザに手渡される（ステップＳ１３）。【選択図】図４
2005130120.tif 000002
【特許請求の範囲】
【請求項１】
ユーザによって画像が実際に鑑賞されたことを検出する検出手段と、
この検出手段によって画像が実際に鑑賞されたことを検出した場合に、上記ユーザ自身の画像と上記実際に鑑賞された画像とを合成する画像処理手段と、
を有することを特徴とする画像処理システム。
【請求項２】
ユーザが選択した画像とユーザ自身の画像とを合成して、この合成された画像を上記ユーザに提供する合成画像提供手段と、
上記ユーザによって選択された画像が実際に鑑賞されたことを検出する検出手段と、
この検出手段によって画像が実際に鑑賞されたことを検出した場合に、上記ユーザ自身の画像と上記実際に鑑賞された画像とを再合成する画像処理手段と、
を有することを特徴とする画像処理システム。
【請求項３】
背景の画像を撮影する第１の撮影装置と、
ユーザの画像を撮影する第２の撮影装置と、
上記第１の撮影装置の地表からの高さ、上記ユーザの身長、上記ユーザと上記第１の撮影装置との距離、及び上記第１の撮影装置の撮影画角に基づいて、上記背景の画像と上記ユーザの画像の相互の位置関係及びそれぞれの画像の大きさを調整して、上記背景の画像と上記ユーザの画像とを合成する画像処理手段と、
を有することを特徴とすることを特徴とする画像処理システム。
【請求項４】
上記画象処理手段によって合成された画像データをプリント出力するプリント手段を更に有することを特徴とする請求項１乃至３の何れか１つに記載の画像処理システム。
【請求項５】
少なくとも美術館においてユーザに記念写真を提供する画像処理システムにおいて、
上記ユーザを撮影して上記ユーザの画像データを得る第１の撮影手段と、
上記美術館内に展示された作品を撮影して上記作品の画像データを得る第２の撮影手段と、
上記第１の撮影手段によって撮影された上記ユーザの画像データと上記第２の撮影手段によって撮影された上記作品の画像データとを合成する画像処理手段と、
この画像処理手段によって合成された画像データをデータ出力又はプリント出力して上記ユーザに記念写真を提供する出力手段と、
を有することを特徴とする画像処理システム。
【請求項６】
少なくとも上記展示された作品の位置を示す地図を生成して上記ユーザに提供する地図情報提供手段を更に有することを特徴とする請求項５に記載の画像処理システム。
【請求項７】
上記作品に対応する服装の画像を上記ユーザに提供する服装提供手段を更に有し、
上記画像処理手段は、上記合成された画像に上記服装の画像を更に合成することを特徴とする請求項５に記載の画像処理システム。
【請求項８】
ユーザに複数の画像を提供する画像提供手段と、
上記画像提供手段によって提供された上記複数の画像の中から選択された画像に関連する情報を受信する選択画像情報受信手段と、
上記選択された画像が存在する地点に到達するまでの経路を表す地図情報を上記ユーザに提供する地図情報提供手段と、
上記選択された画像に所定の画像処理を施す画像処理手段と、
を有することを特徴とする画像処理システム。
【請求項９】
ユーザによって画像が実際に鑑賞されたことを検出するステップと、
画像が実際に鑑賞されたことが検出された場合に、上記ユーザ自身の画像と上記実際に鑑賞された画像とを合成するステップと、
を有することを特徴とする画像処理方法。
【請求項１０】
ユーザが選択した画像とユーザ自身の画像とを合成して、この合成された画像を上記ユーザに提供するステップと、
上記ユーザによって選択された画像が実際に鑑賞されたことを検出するステップと、
この検出手段によって画像が実際に鑑賞されたことを検出した場合に、上記ユーザ自身の画像と上記実際に鑑賞された画像とを再合成するステップと、
を有することを特徴とする画像処理方法。
【請求項１１】
背景の画像を撮影するステップと、
ユーザの画像を撮影するステップと、
上記背景を撮影する撮影装置の地表からの高さ、上記ユーザの身長、上記ユーザと上記ユーザを撮影する撮影装置との距離、及び上記ユーザを撮影する撮影装置の撮影時の画角に基づいて、上記背景の画像と上記ユーザの画像の相互の位置関係及びそれぞれの画像の大きさを調整して、上記背景の画像と上記ユーザの画像とを合成するステップと、
を有することを特徴とする画像処理方法。
【請求項１２】
ユーザに複数の画像を提供するステップと、
上記画像を提供するステップにおいて提供された上記複数の画像の中から選択された画像に関連する情報を受信するステップと、
上記選択された画像が存在する地点に到達するまでの経路を表す地図情報を上記ユーザに提供するステップと、
上記選択された画像に所定の画像処理を施すステップと、
を有することを特徴とする画像処理方法。
【発明の詳細な説明】
【技術分野】
【０００１】
本発明は、画像処理ステム及び画像処理方法に関し、特に、美術館や博物館等に入館した人物の記念写真を撮影する際の画像処理システム及びこのような画像処理システムによる画像処理方法に関する。
【背景技術】
【０００２】
テーマパーク等に入場した人物の記念写真を撮影するシステムが、特許文献１等において提案されている。特許文献１のシステムにおいては、テーマパーク内に複数の撮影装置と、これら複数の撮影装置の撮影制御を行う制御装置を設置しておくと共に、テーマパークに入場した人物に対してタグを発行するようにする。即ち、このシステムでは、撮影装置の設置場所にタグを所持した人物がくると、この人物の写真が自動的に撮影される。そして、人物がテーマパークから出る際に、撮影された写真が提供される。
【発明の開示】
【発明が解決しようとする課題】
【０００３】
しかし、特許文献１の手法では、撮影が必要とされる場所に撮影装置を設置しておく必要がある。このため、種々のアングルの写真撮影に対応しようとすると、それだけ多くの撮影装置が必要である。また、撮影装置の設置位置は、アトラクション等がある場所である。このため、撮影が行われている人物以外にとっては、撮影装置が邪魔になりかねない。
【０００４】
本発明は、上記の事情に鑑みてなされたものであり、美術館や博物館、イベント会場などにおいて、他の入場者の邪魔にならずに記念写真撮影を行うことができる画像処理システム、及びこのような画像処理方法を提供することを目的とする。
【課題を解決するための手段】
【０００５】
上記の目的を達成するために、本発明の第１の態様の画像処理システムは、ユーザによって画像が実際に鑑賞されたことを検出する検出手段と、この検出手段によって画像が実際に鑑賞されたことを検出した場合に、上記ユーザ自身の画像と上記実際に鑑賞された画像とを合成する画像処理手段とを有することを特徴とする。
【０００６】
この第１の態様によれば、他の入場者の邪魔にならずに記念写真撮影を行うことができる。
【０００７】
また、上記の目的を達成するために、本発明の第２の態様の画像処理システムは、ユーザが選択した画像とユーザ自身の画像とを合成して、この合成された画像を上記ユーザに提供する合成画像提供手段と、上記ユーザによって選択された画像が実際に鑑賞されたことを検出する検出手段と、この検出手段によって画像が実際に鑑賞されたことを検出した場合に、上記ユーザ自身の画像と上記実際に鑑賞された画像とを再合成する画像処理手段とを有する。
【０００８】
この第２の態様によれば、ユーザが実際に画像を鑑賞する前に合成後の画像を提供することができる。
【０００９】
また、上記の目的を達成するために、本発明の第３の態様の画像処理システムは、背景の画像を撮影する第１の撮影装置と、ユーザの画像を撮影する第２の撮影装置と、上記第１の撮影装置の地表からの高さ、上記ユーザの身長、上記ユーザと上記第１の撮影装置との距離、及び上記第１の撮影装置の撮影時の画角に基づいて、上記背景の画像と上記ユーザの画像の相互の位置関係及びそれぞれの画像の大きさを調整して、上記背景の画像と上記ユーザの画像とを合成する画像処理手段とを有する。
【００１０】
この第３の態様によれば、ユーザの画像と背景の画像とを最適な形で合成することができる。
【００１１】
上記の目的を達成するために、本発明の第４の態様の画像処理システムは、ユーザに複数の画像を提供する画像提供手段と、上記画像提供手段によって提供された上記複数の画像の中から選択された画像に関連する情報を受信する選択画像情報受信手段と、上記選択された画像が存在する地点に到達するまでの経路を表す地図情報を上記ユーザに提供する地図情報提供手段と、上記選択された画像に所定の画像処理を施す画像処理手段とを有する。
【００１２】
この第４の態様によれば、計画的に効率良く美術館などを訪問し、見たい作品が存在する位置に到達することができる。
【００１３】
また、上記の目的を達成するために、本発明の第５の態様の画像処理方法は、ユーザによって画像が実際に鑑賞されたことを検出するステップと、画像が実際に鑑賞されたことが検出された場合に、上記ユーザ自身の画像と上記実際に鑑賞された画像とを合成するステップとを有する。
【００１４】
この第５の態様によれば、他の入場者の邪魔にならずに記念写真撮影を行うことができる。
【００１５】
また、上記の目的を達成するために、本発明の第６の態様の画像処理方法は、ユーザが選択した画像とユーザ自身の画像とを合成して、この合成された画像を上記ユーザに提供するステップと、上記ユーザによって選択された画像が実際に鑑賞されたことを検出するステップと、この検出手段によって画像が実際に鑑賞されたことを検出した場合に、上記ユーザ自身の画像と上記実際に鑑賞された画像とを再合成するステップとを有する。
【００１６】
この第６の態様によれば、ユーザが実際に画像を鑑賞する前に合成後の画像を提供することができる。
【００１７】
また、上記の目的を達成するために、本発明の第７の態様の画像処理方法は、背景の画像を撮影するステップと、ユーザの画像を撮影するステップと、上記背景を撮影する撮影装置の地表からの高さ、上記ユーザの身長、上記ユーザと上記ユーザを撮影する撮影装置との距離、及び上記ユーザを撮影する撮影装置の撮影時の画角に基づいて、上記背景の画像と上記ユーザの画像の相互の位置関係及びそれぞれの画像の大きさを調整して、上記背景の画像と上記ユーザの画像とを合成するステップとを有する。
【００１８】
この第７の態様によれば、ユーザの画像と背景の画像とを最適な形で合成することができる。
【００１９】
また、上記の目的を達成するために、本発明の第８の態様の画像処理方法は、ユーザに複数の画像を提供するステップと、上記画像を提供するステップにおいて提供された上記複数の画像の中から選択された画像に関連する情報を受信するステップと、上記選択された画像が存在する地点に到達するまでの経路を表す地図情報を上記ユーザに提供するステップと、上記選択された画像に所定の画像処理を施すステップとを有する。
【００２０】
この第８の態様によれば、計画的に効率良く美術館などを訪問し、見たい作品が存在する位置に到達することができる。
【発明の効果】
【００２１】
本発明によれば、美術館や博物館、イベント会場などにおいて、他の入場者の邪魔にならずに記念写真撮影を行うことができる画像処理システム、及びこのような画像処理方法を提供することができる。
【発明を実施するための最良の形態】
【００２２】
デジタル映像文化の浸透につれ、従来はフィルム式のカメラで行われてきた写真撮影も、デジタルカメラによって行われるようになってきている。ここで、デジタルカメラは、フィルム式のカメラよりも現像工程が短縮されるという利点を有している。また、デジタルカメラが従来のフィルム式のカメラに比べて有利な点は、現像スピードの点やデータ通信が可能である点以外にも、撮影後の画像の加工が容易であるという点が挙げられる。
【００２３】
このような画像の加工技術、即ち画像処理技術には、画像の色や形等を変化させる技術などの他に、複数の画像を合成して１つの画像を得る画像合成技術がある。写真撮影における画像合成技術の例としては、例えば撮影画像に額縁画像を合成するものがある。
【００２４】
本発明は、このような画像合成技術を利用して、他の入場者の邪魔にならない画像処理システムを実現する。
【００２５】
図１は、本発明の画像処理システムの概念的な構成について説明するためのブロック構成図である。ここで、少なくとも図１のコンピュータ１、データベース２、判定部７ａ，７ｂ、及びプリンタ８は、美術館、博物館、イベント会場等の中に設置されているものである。
【００２６】
サーバコンピュータ（以下、単にコンピュータと称する）１は、本画像処理システム全体の制御を行うための制御コンピュータである。即ち、コンピュータ１は、データベース２内に格納されている各種データを端末機器３に送信する際の通信制御や、端末機器３に記録されている画像とデータベース２内の画像とに対して所定の画像処理、即ちこれら２つの画像を合成する処理を行う際の制御、及び合成した画像をプリンタ８によってプリントアウトしたりする際の制御等を行う。更に、コンピュータ１には、ユーザ１０が所定の場所に行ったか否かを判定するための判定部７ａ及びユーザ１０が入場時に代金を払ったか否かを判定するための判定部７ｂが接続されており、これら判定部７ａ，７ｂの状態に応じた各種制御も行う。
【００２７】
データベース２は、後で詳しく説明する画像合成に用いるための画像データ、ユーザ１０に各種情報を提供するために用いる情報データ、及びユーザ１０の個人データ（ユーザ１０の画像データやユーザの電子メールアドレスなどの個人データ等）といった各種データが格納されている記録媒体である。
【００２８】
更に、端末機器３は、ユーザ側に種々の情報を提供するための情報提供手段としての端末である。この端末機器３は、コンピュータ１と通信可能に構成されており、画像入力部６を介して入力されたユーザ１０の画像をコンピュータ１に送信する機能を有する。また、端末機器３は、画像入力部６を介して入力された画像を、プリンタ４を用いてプリントアウトしたり、コンピュータ１から受信した各種情報を表示部５に表示させたりする機能も有する。
【００２９】
［第１の実施形態］
次に、本発明の第１の実施形態について説明する。この第１の実施形態では、図２（ｆ）のようにユーザ１０が個人所有している携帯電話機が図１の端末機器３に相当する。以下、第１の実施形態においては、端末機器３のことを携帯電話機３と称する。ここで、第１の実施形態の携帯電話機３は、画像入力部６としての撮影機能を有する撮影機能付き携帯電話機を想定している。
【００３０】
以下、図２（ａ）から図２（ｅ）を参照して、第１の実施形態の画像処理システムを用いたサービスについて説明する。ここで、図２（ａ）から図２（ｅ）は、本システムの動作に従って表示部５に表示される画像の表示例を示す図である。ここで、表示部５は、携帯電話機３の画面表示部３ａに設けられているものである。また、以下の説明は、第１の実施形態の画像処理システムを、美術館等で開催される展覧会に適用した例について説明するが、博物館やイベント会場などでも同様に適用可能である。
【００３１】
この画像処理システムにおいては、まず、展覧会の興業主又は提携する電話会社等からユーザ１０に対して、図２（ａ）に示すような展覧会の案内が電子メール等で送られて来る。このような展覧会案内の書式データやユーザ１０の電子メールアドレス等は、予めデータベース２に格納されているものである。勿論、ユーザ１０が電話をかけた場合（或いは電子メールを送信した場合）に、案内が送信されるようにしてもよい。
【００３２】
ここで、第１の実施形態では、展覧会案内送信の際に、図２（ｂ）のような展覧会における代表的な作品の画像（以下、作品画像と称する）９を添付して案内と共に送信する。このような作品画像を添付するようにすれば、ユーザ１０は、展覧会の内容を大まかに知る事ができる。
【００３３】
更に、ユーザ１０のいる位置を、例えば携帯電話機のＧＰＳ機能等により検出し、その位置から美術館がある駅までの路線図や美術館に行くまでの所要時間等を図２（ｃ）のように表示させるようにしてもよい。また、美術館の最寄駅から会場までの地図を図２（ｄ）のように表示させるようにしてもよいし、美術館内の代表作品がある場所を示す地図を図２（ｅ）のように表示させるようにしてもよい。
【００３４】
美術館等では、どのような順路で目的とする作品がある場所に到達するかが大きな問題である。特に、時間がない時には短時間で目標とする作品がある場所に到達することができることが望ましい。そこで、第１の実施形態では、図２（ｂ）から図２（ｅ）で示したような情報を、展覧会案内とともにユーザ１０に送信するようにする。これにより、ユーザ１０は、実際に美術館にくる前に、作品鑑賞の計画を立てることができる。
【００３５】
ユーザ１０は、作品鑑賞の計画を立てた後、追加情報が欲しい場合には、その旨を通知するための情報を携帯電話機３からコンピュータ１に送信する。このとき、ユーザ１０は、携帯電話機３に取り付けられたカメラ６（図１の画像入力部６に相当する）によって、自身の撮影を行い、この撮影した画像を上記情報と共にコンピュータ１に送信することができる。ユーザ１０の画像が送信されてきた場合に、コンピュータ１側は、送信されてきたユーザ１０の画像とデータベース２に格納されている作品画像９とを図２（ｇ）のように合成して、この合成画像をユーザ１０の携帯電話機３に返信する。ユーザ１０は、このようにして提供された合成画像をみて、更に鑑賞時の状況を思い描くことができる。
【００３６】
この後、図３（ａ）のように、ユーザ１０が、実際に美術館を訪れると、携帯電話機３とコンピュータ１との間で通信が行われ、ユーザの認証がなされる。このとき、入館料の課金等を行うようにしてもよい。また、ユーザの認証は、ＩＤカード等により行うようにしてもよい。
【００３７】
次に、ユーザ１０が図３（ｂ）に示すゲート３０を通ると、ユーザ１０の身長及び肩幅の測定が行われる。このために、ゲート３０には、第１測距部３５、第２測距部３６、及び第３測距部３７が設けられている。
【００３８】
ゲート３０の上部に設けられている第１測距部３５には、測距用投光部としての赤外発光ダイオード３１が設けられている。この赤外発光ダイオード３１から、投光レンズ３２を介して赤外光がユーザ１０に投射され、その反射光が受光レンズ３３を介して光位置検出部３４に入射するようになっている。ここで、光位置検出部３４における入射位置は、ゲート３０の上部からユーザ１０の頭部までの距離ｈＣによって変化する。即ち、光位置検出部３４における光入射位置を検出することによって、ｈＣを算出することができる。これは、従来周知の三角測距の原理を用いて算出すればよい。これにより、ユーザ１０の身長ｈ１は、第１測距部３５で算出したｈＣと、予め測定されている地表からゲート３０上部までの距離ｈＧとから、
ｈ１＝ｈＧ−ｈＣ
の式により求めることができる。
【００３９】
また、ユーザ１０の肩幅Ｗ１は、予め測定されているゲートの幅ＷＧから、第２測距部３６及び第３測距部３７の距離測定結果を差し引くことによって求めることができる。なお、第２測距部３６及び第３測距部３７の構成は、第１測距部３５の構成と同様であるので説明を省略する。
【００４０】
このようにユーザ１０の身長ｈ１及び肩幅Ｗ１を求めることで、上記送信されてきたユーザ１０の画像と作品画像９とをより適正な形で合成することが可能である。この合成画像は、例えば、プリンタ８によって図３（ｃ）のような記念写真８ａとしてプリントアウトされる。このとき、記念写真８ａ上に入館時の日付等の文字情報を併せて印字するようにしてもよい。
【００４１】
次に、上述した手順について図４のフローチャートを参照して更に詳しく説明する。まず、コンピュータ１は、ユーザ１０に案内等の情報送信を行う（ステップＳ１）。続いてコンピュータ１は、展覧会に興味がある旨の情報がユーザ１０から返信されたか否かを判定する（ステップＳ２）。返信が行われたと判定した場合には、ステップＳ２をステップＳ３に分岐して追加情報の送信を行う（ステップＳ３）。この後、コンピュータ１は、ステップＳ２で返信された情報の中にユーザ１０の画像データが含まれているか否かを判定する（ステップＳ４）。ユーザ１０の画像データが含まれていると判定した場合には、ステップＳ４からステップＳ５に分岐して、図２（ｇ）に示すような合成画像情報を参考として送信する（ステップＳ５）。また、このときユーザ１０の画像データをデータベース２に格納する。更に、ステップＳ５で送信した画像を所定時間後に消去する（ステップＳ６）。即ち、ステップＳ５で送信される画像は、ユーザ１０が雰囲気をつかむための参考画像であるので所定時間後に画像が消去されるようにする。つまり、ユーザ１０は、実際に会場を訪れて初めて、実際の合成画像のデータや記念写真としての合成写真を入手することができる。ここで、ステップＳ５の合成画像送信の際には、この合成画像を転送不可及び記録不可とするようにプロテクトをかけておいたり、画面上に「参考」という字を併せて表示させるようにしたりして、ユーザ１０が合成画像を流用できないようにしてもよい。
【００４２】
このような処理の後、コンピュータ１は、ユーザ１０が、実際に美術館に入館したか否かを判定し（ステップＳ７）、ユーザ１０が入館したと判定した場合には入館料の課金を行う（ステップＳ８）。
【００４３】
課金の終了後、コンピュータ１は、ユーザ１０の画像がデータベース２内に格納されているか否かを判定する（ステップＳ９）。ステップＳ９においてユーザ１０の画像が格納されていないと判定した場合には、ユーザ１０の撮影を行う（ステップＳ１０）。このため、美術館内に少なくとも１台はカメラを設置しておく。勿論ステップＳ４で画像が送信されてこなかった場合には、記念写真撮影を行わないようにしてもよい。
【００４４】
続いて、コンピュータ１は、ゲート３０を通過したユーザ１０の身長及び肩幅測定を行い（ステップＳ１１）、これらの測定値に基づいてステップＳ５で生成した合成画像を修正する（ステップＳ１２）。
【００４５】
この後、ユーザ１０が美術館等を出るタイミングなどで、コンピュータ１は、修正した合成画像を記念写真としてプリントアウトしたり、合成画像のデータを携帯電話機３に送信したりする（ステップＳ１３）。これらはユーザ１０が選択できるようにしておけばよい。
【００４６】
次に図５（ａ）、図５（ｂ）、図６（ａ）、及び図６（ｂ）を参照して、ステップＳ１２の合成画像修正の手法について説明する。図５（ａ）は、携帯電話機のカメラ６に用いられている撮影光学系を示す図である。この撮影光学系により被写体（ユーザ）１０が自分で自分を撮影すると仮定すると、撮影距離ｄＣは約５０〜６０ｃｍとなる。ここで、撮影レンズ１１の焦点距離をｆＣとすると、これらと撮像素子１２の幅とから画角θＣが決まる。
【００４７】
一方、図５（ｂ）は、美術館に展示された作品を撮影する際の撮影光学系を示す図である。ここで、撮影された作品の画像データは、作品画像９としてデータベース２に格納される。図５（ｂ）においても、図５（ａ）で説明したのと同様に、撮影レンズ１３の焦点距離ｆ３と、撮像素子１４の幅とから画角θ３が決まる。この画角θ３の中に、展示された作品９が含まれている。ここで図５（ｂ）において、撮影レンズ１３から作品９までの距離をｄ０とする。即ち、図５（ｂ）の画角θ３で撮影した画像を、あたかも図５（ａ）の画角θＣで撮影したのと同等の画像にするには、画角θ３で撮影される画像のうち、画角θＣの部分の画像のみを利用すればよい。
【００４８】
即ち、ステップＳ１２の合成画像修正においては、本来画角θ３で撮影された作品９の画像を画角θＣで撮影されたかのように画角、即ち画像範囲の修正を行い、更に撮影レンズ１３から距離ｄＣ（５０〜６０ｃｍ）の位置に被写体が存在しているかのような画像を生成する。
【００４９】
ここで、θＣに画角を絞った時には、距離ｄ０の位置における画像の横幅がＷ０となる。一方、作品９の実際の横幅をＷ２とすると、図６（ａ）で示すように、作品９は、画面内水平方向においてＷ２／Ｗ０の幅を占める。このような比率の画像になるように修正を行うと、図５（ａ）のカメラ（携帯電話機のカメラ６）で撮影したときと同じ描写となる。この画像に、ユーザ１０の画像を合成すれば、より自然な合成写真となる。
【００５０】
したがって、図４のステップＳ２などで携帯電話機３からコンピュータ１に画像データが送信されるときに、同時に携帯電話機の画角θＣに関する情報や撮影距離ｄＣの情報を送るようにすることが好ましい。しかし、一般の携帯電話機には、撮影距離を検出するための装置が備えられていないので、実際には、ユーザ１０がゲート３０を通過したときに測定した肩幅Ｗ１と、一般的なｄＣ（５０〜６０ｃｍ）を利用して画角θＣを決定して合成を行う。
【００５１】
即ち、携帯電話機３で撮影された画像の幅とこの画像内におけるユーザ１０の肩幅との比率がＷ０：Ｗ１０とし、実際に測定される肩幅がＷ１とすると、
θＣ＝（arctanＷ１／ｄＣ）×（Ｗ０／Ｗ１０）
の関係から画角θＣを逆算できる。コンピュータ１は、このようにして得られたθＣを利用して、作品９の写り方を調整する。
【００５２】
次に、実測した身長を反映させて画像の高さ方向の修正を行う手法について説明する。ここで、美術館のカメラが撮影時に床からｈの高さに位置しているとする。また、身長ｈ１のユーザ１０が、美術館のカメラから距離ｄＣの位置に立っているような画像を生成すると仮定すると、このカメラとユーザ１０との位置関係は、図６（ｂ）のようになる。このとき、
Δθ＝arctan（ｈ１−ｈ）／ｄＣ
の関係が成立する。このΔθと高さ方向の画角θ４とを利用して、画像の上部からΔθ／θ４の割合で人物の頭部の上に空間があるように高さ方向の画像修正を行う。
【００５３】
このような画像合成の過程を図７のフローチャートを参照して説明する。即ち、携帯電話機からｄＣ及びθＣが入力されたときに（ステップＳ２０）、コンピュータ１は、入力されたθＣに合わせて背景の画像（美術館内の画像）の切り出しを行う（ステップＳ２１）。そして、実測した身長ｈ１と作品画像撮影時のカメラの高さｈを用いて、ユーザ１０の画像の上部が画面内Δθ／θ４の割合となるように空間を空ける（ステップＳ２２）。この後、コンピュータ１は、ユーザ１０の画像と作品９の画像とを合成する（ステップＳ２３）。
【００５４】
以上説明したように、第１の実施形態では、効率良く美術館を見学することができるばかりでなく、思い出となる記念写真（絵ハガキなどでもよい）を持ち帰ることができる。
【００５５】
近年、物質的な豊かさよりも心の豊かさを求める人が増加しており、旅行や、美術、音楽などの芸術鑑賞に対する興味が高まってきている。しかし、非常に効率化された社会にあってあらゆるものがオンライン化され、ユビキタス社会などと呼ばれるようになると、人はますます効率を追い求めるようになる。このようなことは、芸術鑑賞の場においても同様である。即ち、作品の鑑賞には時間をかけてもよいが、それ以外の事には時間をかけたくなく、しかし記念だけはしっかりと残したいという要求が高まっている。
【００５６】
そこで、第１の実施形態では、美術館に入館する前にユーザに各種地図を提供するようにして効率の良い美術館見学を可能としている。
【００５７】
また、第１の実施形態では、予め展示作品の画像を撮影しておき、この画像をデータベースに格納している。このため、美術館内には、ユーザ画像撮影用のカメラのみを設置しておけばよい。したがって、美術館内に設置するカメラの数を極力少なくすることができる。更に、展示作品の傍にカメラを設置する必要もなく、記念写真撮影時に他の人の邪魔になる可能性も少ない。更には、ユーザが美術館内で撮影を行うこともないので、ストロボ撮影などによって展示作品にダメージを与えるおそれもない。
【００５８】
また、第１の実施形態では、画像合成時に、実測した人物の肩幅Ｗ１や身長ｈ１を利用することで、画像合成後のユーザ１０の位置を適確な画角で撮影したかのように修正することができる。これによって、より自然な合成画像を得ることができる。
【００５９】
ここで、ユーザに追加情報として送る画像は、参考としての合成画像に限るものではなく、実際の会場の混み具合がわかるように前日又は前の週の所定時刻に実際に撮影した画像を送信するようにしてもよい。このような画像を複数回撮影して送信するようにすれば、ユーザ１０は、これら送信された複数の画像を見比べて、空いている時間帯を選んで美術館に入館することができる。
【００６０】
また、第１の実施形態においては、ユーザ１０の身長ｈ１を実測した後、画像合成を行うようにしたが、予め測定した身長値を携帯電話機のメモリ等に格納しておき、画像合成に先立って、身長値のデータをコンピュータ１に送信するようにしてもよい。
【００６１】
［第２の実施形態］
次に、本発明の第２の実施形態について説明する。この第２の実施形態は、端末機器として携帯電話機を利用せず、美術館内に端末機器を設ける例である。
【００６２】
図８（ａ）から図８（ｇ）は、第２の実施形態による画像処理システムを利用した写真プリントサービスの動作を概念的に示した図である。このような応用によって、ユーザは、効率よく美術館を回ることができると共に、記念写真としての合成写真を持ち帰ることができる。即ち、図８（ａ）に示すように、ユーザ１０が美術館に入館すると、図８（ｂ）のように館内に設置されたカメラ６により写真撮影が行われる。ここで、このカメラ６は、美術館内の作品９を撮影したカメラと同じカメラを用いる。また、ユーザ１０の撮影時の条件（撮影時の撮影高さなど）も作品９を撮影したときの条件と同じくする。
【００６３】
撮影終了後、ユーザ１０が、図８（ｃ）のように端末機器３の表示部５上に表示された収蔵リストの中から、鑑賞したいと考えている作品を選択すると、図８（ｄ）のように、端末機器３に取り付けられたプリンタから、指定した作品がある位置を示す美術館内の地図４ａがプリントアウトされる。ユーザ１０は、この地図４ａに従って会場内を移動することで、図８（ｅ）のように、予め鑑賞したいと考えていた作品を効率よく鑑賞することができる。ここで、図８（ｃ）の作品選択の際には、複数の作品を指定できるようにしても良いことは言うまでもない。
【００６４】
図８（ｅ）のように作品を鑑賞している間に、図８（ｂ）で撮影されたユーザ１０の画像とデータベース内に収められた作品画像９とが合成され、この合成写真が図８（ｆ）のようにしてプリントアウトされる。この合成写真を、図８（ｇ）のように持ち帰れば記念となる。
【００６５】
ここで、図８（ｆ）の画像合成の際には、ユーザ１０が指定した作品を実際に鑑賞したことを検出できるような検出手段を設けるようにして、実際に鑑賞したことが検出された作品の合成写真のみをプリントアウトするようにしてもよい。ユーザ１０が実際に鑑賞したことを検出する手法としては、例えば次のような手法で行えばよい。このときの構成として、図８（ｄ）のようにして出力された地図４ａに、地図４ａを所持しているユーザを特定するためのバーコード部４０を設けておき、更に、作品９の近傍にバーコードリーダ４１を設けておく。即ち、バーコードリーダ４１に地図４ａのバーコード部４０を読ませれば、コンピュータ１は、ユーザ１０がその作品を訪れたことを検出することができる。
【００６６】
また、実際に鑑賞した作品の画像のみを合成する手法を第１の実施形態に応用する場合には、例えばユーザ１０が所持している携帯電話機から発せられる電波を、予め作品近傍に設けておいた図示しないアンテナによって受信するようにすれば、実際にそのユーザが作品を見に来たかことを容易に検出することができる。
【００６７】
以上説明したように、第２の実施形態では、ユーザを撮影するカメラと作品を撮影するカメラとが同じくしているので第１の実施形態で説明した画角合わせ等の画像修正を行う必要がなく、容易に画像合成を行うことができる。また、ユーザが必ずしも携帯電話機を所持している必要もない。
【００６８】
［第３の実施形態］
次に、本発明の第３の実施形態について説明する。第３の実施形態では、作品が時代別に展示されており、この作品が製作された当時の衣装の画像データが、作品画像のデータと共にデータベース２内に格納されている。更に、第３の実施形態においては、図１２（ｃ）や図１２（ｄ）のように画像合成時の作品９とユーザ１０との位置を変える事もできる。どの位置で合成するかは、図１０に示すように美術館内の作品９の近くに設けられたボタンをユーザ１０が操作することにより指定できるようにしておく。また、このボタン操作を検出することによって、ユーザ１０が実際に作品９の場所に来たか否かを判定するようにしても良い。
【００６９】
また、第３の実施形態においては、ユーザ１０の画像を撮影する画像入力部６の構成が第１及び第２の実施形態と異なっている。即ち、第３の実施形態では、図１１（ａ）及び図１１（ｂ）に示す撮影装置で撮影を行う。ここでの特徴は、撮影装置６として図１１（ａ）に示すように２台のカメラ６ａ，６ｂを用いてユーザ１０を撮影することである。このように２台のカメラ６ａ，６ｂを用いてユーザ１０の撮影を行う場合、ユーザ１０の後方に存在する物体１０ａは、カメラ６ａ側では撮影できるが、カメラ６ｂ側ではユーザ１０の影のために撮影できない。これにより、物体１０ａがユーザ１０の後方にあることを認識でき、ユーザ１０の画像を正しく背景の画像から切り出すことができる。このような処理は、三次元処理部５１において行われるものである。
【００７０】
なお、第２の実施形態で説明したように、これらのカメラ６ａ，６ｂは、作品の撮影に利用されたカメラと同じ画角のカメラとし、また撮影時の高さも作品撮影時とユーザ１０の撮影時とで等しくすることが好ましい。これによって、ユーザ１０の画像を簡単に作品９の画像に合成することができる。
【００７１】
次に、図９を参照して第３の実施形態における画像処理方法について説明する。図９において、コンピュータ１は、まずユーザ１０に名前の入力を行わせる（ステップＳ３０）。この名前入力により、ユーザ１０は、他のユーザと間違えられずに確実に記念写真を入手することができる。次に、コンピュータ１は、このユーザ１０の顔画像データがすでにあるか否かを判定し（ステップＳ３１）、顔画像データがないと判定した場合には、図１１（ａ）及び図１１（ｂ）に示す撮影装置を用いて撮影を行う（ステップＳ３２）。一方、ステップＳ３１において、ユーザの顔画像があると判定した場合（例えば１度同じ美術館に来ている時などは、すでに顔画像がある）には、データベース２から、その顔画像データの読み出しを行う（ステップＳ３３）。
【００７２】
次に、コンピュータ１は、美術館の入口に設けられた端末機器３の表示部５上に、図１２（ａ）に示すようにして、時代区分ごとの収蔵品リストを順次表示してゆく（ステップＳ３４〜Ｓ４２）。ここでは、ユーザ１０の操作によりリストが順次切り替わるように構成する。この表示画面上で、ユーザ１０は、記念写真として持ち帰りたい作品を選択することができる。なお、ここでは仮に古代、中世、ルネサンス、バロック、及び現代の作品から選択できるようにしているが、これに限るものでないことは言うまでもない。この収蔵品リスト画面において画像が選択された場合（ステップＳ４３）には、その画像が図１２（ｂ）のように拡大表示される。このときコンピュータ１は、選択された作品画像の属する時代を代表する服装画像９ａも併せて表示させる（ステップＳ４４）。
【００７３】
ユーザ１０は、この服装で記念写真に収まりたい時に、端末機器３を操作してその旨を通知する。これを受けてコンピュータ１は、ステップＳ４５の判定をＹＥＳに分岐して顔画像と服装画像とを合成した後（ステップＳ４６）、更にこの画像と選択された作品画像とを図１２（ｃ）又は１２（ｄ）のように合成する（ステップＳ４７）。この後、選択した作品までの順路を図１２（ｅ）のように地図表示したり、この地図をプリントアウトしたりするようにしてもよい。
【００７４】
次にユーザ１０は、実際に作品を鑑賞する（ステップＳ４８）。このとき、作品９を前にして、図１０のように、どの位置からの撮影が良いかをボタン操作により選択できるようにしておく。このような選択操作がなされた場合に（ステップＳ４９）、コンピュータ１は、選択結果に従って、図１２（ｃ）や図１２（ｄ）のように画像内の位置変更を行い、その結果をプリントアウトする（ステップＳ５０）。これによりユーザは、記念写真としての合成写真を得ることができる。
【００７５】
以上説明したように、第３の実施形態では、ユーザが展示作品のどの位置で撮影されたいのかを選択する事ができる。また、作品制作当時の服を着用した状態で合成写真が得られるので、ユーザはよりいっそう貴重な記念写真を得ることができる。
【００７６】
以上実施形態に基づいて本発明を説明したが、本発明は上記した実施形態に限定されるものではなく、本発明の要旨の範囲内で種々の変形や応用が可能なことは勿論である。例えば、上記した実施形態は、美術館の例で説明したが、その他の場所、例えば博物館、イベント会場などにも応用可能なことは言うまでもない。
【００７７】
更に、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００７８】
【図１】本発明の画像処理システムの概念的な構成を示すブロック図である。
【図２】図２（ａ）から図２（ｅ）は本発明の第１の実施形態の動作に従った表示部の画像表示例を示す図であり、図２（ｆ）は本発明の第１の実施形態の端末機器としての携帯電話機を示す図であり、図２（ｇ）は合成後の画像の表示例を示す図である。
【図３】図３（ａ）及び図３（ｂ）はユーザの身長及び肩幅を測定するための測定装置の構成を示す図であり、図３（ｃ）は合成写真をプリントアウトする例を示す図である。
【図４】本発明の第１の実施形態の画像処理システムの動作について説明するためのフローチャートである。
【図５】図５（ａ）携帯電話機の撮影光学系を示す図であり、図５（ｂ）は作品撮影時の撮影光学系を示す図である。
【図６】図６（ａ）は画像の水平方向の修正について説明するための図であり、図６（ｂ）は画像の高さ方向の修正について説明するための図である。
【図７】画像合成の手順について説明するためのフローチャートである。
【図８】本発明の第２の実施形態による画像処理システムを利用した写真プリントサービスの動作を概念的に示した図である。
【図９】本発明の第３の実施形態の画像処理システムの動作について説明するためのフローチャートである。
【図１０】合成位置の変更を指示するためのボタンについて説明するための図である。
【図１１】第３の実施形態で用いる撮影装置の構成図である。
【図１２】表示部の画像表示例を示す図である。
【符号の説明】
【００７９】
１…コンピュータ、２…データベース、３…端末機器、４，８…プリンタ、５…表示部、６…画像入力部、７ａ，７ｂ…判定部
【図１】
2005130120.tif 000003
【図２】
2005130120.tif 000004
【図３】
2005130120.tif 000005
【図４】
2005130120.tif 000006
【図５】
2005130120.tif 000007
【図６】
2005130120.tif 000008
【図７】
2005130120.tif 000009
【図８】
2005130120.tif 000010
【図９】
2005130120.tif 000011
【図１０】
2005130120.tif 000012
【図１１】
2005130120.tif 000013
【図１２】
2005130120.tif 000014